(57)【要約】【課題】簡単な構造で所定の止水機能を確保できる伸縮管の止水装置を提供する。【解決手段】ゲート室Ｇの側壁３に穿孔された躯体水路５の内面とゲート室Ｇから躯体水路５に挿入される伸縮管１２の端部外面との間を止水する止水装置１であって、伸縮管１２の端部に形成されるフランジ１５と、躯体水路５の内面と伸縮管１２の外面との間に設けられる止水部材１６と、止水部材１６をフランジ１５に押し付けるためのロッド駆動部２０等からなる押圧手段１７と、を備え、フランジ１５からの押し付け反力を受けて止水部材１６が弾性変形することにより、躯体水路５の内面と伸縮管１２の外面との間が止水される。【選択図】図１
2014219014.tif 000002
【特許請求の範囲】
【請求項１】
ゲート室の側壁に穿孔された躯体水路の内面と前記ゲート室から前記躯体水路に挿入される伸縮管の端部外面との間を止水する止水装置であって、
前記伸縮管の端部に形成されるフランジと、
前記躯体水路の内面と前記伸縮管の外面との間に設けられる環状の弾性体からなる止水部材と、
前記止水部材を前記フランジに押し付ける押圧手段と、
を備え、
前記フランジからの押し付け反力を受けて前記止水部材が弾性変形することにより、前記躯体水路の内面と前記伸縮管の外面との間が止水されることを特徴とする伸縮管の止水装置。
【請求項２】
前記伸縮管の伸縮部は二重管構造からなり、前記伸縮部の外管の内面と内管の外面との間を止水する伸縮部止水機構を備え、
該伸縮部止水機構は、
前記内管の端部に形成される伸縮部フランジと、
前記外管の内面と前記内管の外面との間に設けられる環状の弾性体からなる伸縮部止水部材と、
前記伸縮部止水部材を前記伸縮部フランジに押し付ける伸縮部押圧手段と、
を備えて構成され、
前記伸縮部フランジからの押し付け反力を受けて前記伸縮部止水部材が弾性変形することにより、前記伸縮部における外管の内面と内管の外面との間が止水されることを特徴とする請求項１に記載の伸縮管の止水装置。
【請求項３】
前記押圧手段は、
前記伸縮管の外側において伸縮管の軸方向に沿って配される押圧ロッドと、
前記押圧ロッドの一端に備えられ、前記止水部材に接する環状の押圧先端部材と、
前記押圧ロッドを進退させるロッド駆動部と、
を備えて構成されていることを特徴とする請求項１または請求項２に記載の伸縮管の止水装置。
【請求項４】
前記伸縮管を伸縮させる伸縮装置を備え、該伸縮装置が前記押圧手段を兼ねていることを特徴とする請求項１ないし請求項３のいずれか一項に記載の伸縮管の止水装置。
【発明の詳細な説明】
【技術分野】
【０００１】
本発明は、伸縮管の止水装置に関する。
【背景技術】
【０００２】
下水道等において、ゲート室に新規にゲートを設置する或いはゲートを交換する場合、ゲート室に臨む上流側の躯体水路と下流側の躯体水路とを伸縮管により繋ぐ技術が公知である（例えば特許文献１参照）。
【０００３】
特許文献１には、流入口（上流側の躯体水路）および流出口（下流側の躯体水路）の各内面と伸縮管の外面との間に止水用のシール部材を設ける技術が記載され、このシール部材をエアバッグから構成する旨が記載されている。
【先行技術文献】
【特許文献】
【０００４】
【特許文献１】特開２００１−３２３４４４号公報
【発明の概要】
【発明が解決しようとする課題】
【０００５】
しかしながら特許文献１に記載の技術は、エアバッグを膨張させるためにコンプレッサが必要になる。また、エアバッグは少しの傷でもエア漏れが生じやすいため、現場作業での取り扱いに充分な注意が必要になる等、使い勝手が若干劣るという問題がある。
【０００６】
本発明は、以上のような問題を解決するために創作されたものであり、従来のエアバッグによる止水方式によらず、簡単な構造で所定の止水機能を確保できる伸縮管の止水装置を提供することを目的としている。
【課題を解決するための手段】
【０００７】
前記課題を解決するため、本発明は、ゲート室の側壁に穿孔された躯体水路の内面と前記ゲート室から前記躯体水路に挿入される伸縮管の端部外面との間を止水する止水装置であって、前記伸縮管の端部に形成されるフランジと、前記躯体水路の内面と前記伸縮管の外面との間に設けられる環状の弾性体からなる止水部材と、前記止水部材を前記フランジに押し付ける押圧手段と、を備え、前記フランジからの押し付け反力を受けて前記止水部材が弾性変形することにより、前記躯体水路の内面と前記伸縮管の外面との間が止水されることを特徴とする。
【０００８】
この止水装置によれば、従来のエアバッグによる止水方式のように傷を受けてエア漏れが生ずる問題もなくなり、簡単な構造の止水装置となり、現場作業で多少荒く取り扱ったとしても所定の止水機能を確保できる。
【０００９】
また本発明は、前記伸縮管の伸縮部は二重管構造からなり、前記伸縮部の外管の内面と内管の外面との間を止水する伸縮部止水機構を備え、該伸縮部止水機構は、前記内管の端部に形成される伸縮部フランジと、前記外管の内面と前記内管の外面との間に設けられる環状の弾性体からなる伸縮部止水部材と、前記伸縮部止水部材を前記伸縮部フランジに押し付ける伸縮部押圧手段と、を備えて構成され、前記伸縮部フランジからの押し付け反力を受けて前記伸縮部止水部材が弾性変形することにより、前記伸縮部における外管の内面と内管の外面との間が止水されることを特徴とする。
【００１０】
この伸縮部止水機構をも備えた止水装置によれば、伸縮管の伸縮部においても簡単な構造で止水機能を確保できる。
【００１１】
また本発明は、前記押圧手段は、前記伸縮管の外側において伸縮管の軸方向に沿って配される押圧ロッドと、前記押圧ロッドの一端に備えられ、前記止水部材に接する環状の押圧先端部材と、前記押圧ロッドを進退させるロッド駆動部と、を備えて構成されていることを特徴とする。
【００１２】
この止水装置によれば、簡単な構造でさほど手間をかけずに止水部材を弾性変形させて止水機能を確保できる。
【００１３】
また本発明は、前記伸縮管を伸縮させる伸縮装置を備え、該伸縮装置が前記押圧手段を兼ねていることを特徴とする。
【００１４】
この止水装置によれば、伸縮管を伸縮させる伸縮装置が止水用の押圧手段を兼ねるため、部品点数が少なくなって止水作業が簡単になり、製作コストも抑えることができる。
【発明の効果】
【００１５】
本発明によれば、躯体水路の内面とこの躯体水路に挿入される伸縮管の端部外面との間を簡単な構造で止水できる。
【図面の簡単な説明】
【００１６】
【図１】第１実施形態に係る止水装置の側面図である。
【図２】第１実施形態に係る止水装置の一部の外観斜視図および伸縮多重管の外観斜視図である。
【図３】第１実施形態に係る止水装置の作用図である。
【図４】第２実施形態に係る止水装置の側面図である。
【図５】第２実施形態に係る止水装置の作用図である。
【図６】第３実施形態に係る止水装置の側面図である。
【図７】第３実施形態に係る止水装置の作用図である。
【発明を実施するための形態】
【００１７】
「第１実施形態」
図１において、ゲート室Ｇは、コンクリート等により築造された躯体２により略方形体状の空間として形成されている。ゲート室Ｇの対向し合う側壁３，４には、例えば下水路からなる躯体水路５，６が穿孔されている。躯体水路５，６の断面形状は、例えば四角形状や円形状である。一方の側壁３にはゲート（制水扉）７が取り付けられる。ゲート７としては、例えば、躯体２に取り付けられる四角枠状の戸当りフレーム８と、この戸当りフレーム８にガイドされて上下に開閉する扉体９とを備えて、扉体９の開閉度により流量を調整する公知構造のゲートであり、その詳細な説明は本発明の趣旨から外れるので省略する。
【００１８】
伸縮管１２は躯体水路５，６間を連通するために用いられるものである。伸縮管１２を介して下水を流している間に、例えば排水ポンプ（図示せず）等でゲート室Ｇに残った下水を排水したうえでゲート７を新規に設置したり、或いは既設のゲート７の交換や点検を行う。
【００１９】
伸縮管１２は外管１３および内管１４を備える。伸縮管１２は樹脂製、金属製等の管材からなり、その断面形状は躯体水路５，６の断面形状に合わせて適宜に選択される。本実施形態では躯体水路５，６の断面形状が四角形状であるため、図２に示すように外管１３および内管１４はそれぞれ四角管から構成されている。
【００２０】
本発明に係る止水装置１は、ゲート室Ｇの側壁３，４に穿孔された躯体水路５，６の少なくとも一方の内面と、ゲート室Ｇから躯体水路５，６に挿入される伸縮管１２の外面との間を止水する。また、本実施形態の止水装置１は、伸縮管１２の伸縮部の外管１３の内面と内管１４の外面との間を止水する伸縮部止水機構１０も備えている。本実施形態の止水装置１は、「（１）躯体水路５の内面と内管１４の外面との間」を止水するとともに、前記伸縮部止水機構１０により「（２）外管１３の内面と内管１４の外面との間」を止水する。
【００２１】
「（１）躯体水路５の内面と内管１４の外面との間の止水構造」
止水装置１は、内管１４の端部に形成されるフランジ１５と、躯体水路５の内面と内管１４の外面との間に設けられる環状の弾性体からなる止水部材１６と、止水部材１６をフランジ１５に押し付ける押圧手段１７と、を備える。
【００２２】
フランジ１５は、躯体水路５に挿入される内管１４の端部において径外方向に延設されている。止水部材１６は、フランジ１５の手前において内管１４に外嵌するように配されている。止水部材１６はゴム材等からなり、後記する押圧先端部材１９に取り付けられている。押圧手段１７は、内管１４の外側において内管１４の軸方向に沿って配される押圧ロッド１８と、押圧ロッド１８の一端に備えられ、止水部材１６に接する環状の押圧先端部材１９と、押圧ロッド１８を進退させるロッド駆動部２０と、を備えて構成されている。押圧ロッド１８は複数（本実施形態では図２に示すように２本）配されている。ロッド駆動部２０は、例えばシリンダ等の公知のアクチュエータでよい。
【００２３】
「（２）外管１３の内面と内管１４の外面との間の止水構造」
伸縮部止水機構１０は、内管１４の端部に形成される伸縮部フランジ２２と、外管１３の内面と内管１４の外面との間に設けられる環状の弾性体からなる伸縮部止水部材２３と、伸縮部止水部材２３をフランジ２２に押し付ける伸縮部押圧手段２１と、を備える。
【００２４】
伸縮部フランジ２２は、外管１３に挿入される内管１４の端部において径外方向に延設されている。伸縮部止水部材２３は、伸縮部フランジ２２の手前において内管１４に外嵌するように配されている。伸縮部止水部材２３はゴム材等からなり、後記する押圧先端部材２６に取り付けられている。伸縮部押圧手段２１は、内管１４の外側において内管１４の軸方向に沿って配される押圧ロッド２５と、押圧ロッド２５の一端に備えられ、伸縮部止水部材２３に接する環状の押圧先端部材２６と、押圧ロッド２５を進退させるロッド駆動部２７と、を備えて構成されている。押圧ロッド２５は複数（本実施形態では図２に示すように２本）配されている。ロッド駆動部２７としてはたとえば前記ロッド駆動部２０が利用される。押圧先端部材２６には、径外方向に延設されるロッド連結片２８が形成されている。図２において、このロッド連結片２８は、板状の一片となっているが、環状であってもよい。
【００２５】
次いで伸縮管１２を伸縮させる伸縮装置２９について説明する。外管１３の一端には径外方向に延設されるフランジ３０が形成されている。外管１３の外面には伸縮装置２９としてのアクチュエータ３１の本体が取り付けられている。アクチュエータ３１は、例えばシリンダ等であり、そのロッド３２が伸縮管１２の軸方向に沿って進退するように配されている。ロッド３２の先端は押圧先端部材２６のロッド連結片２８に連結されている。フランジ３０はゴム材等からなる止水部材３３を介してゲート室Ｇの側壁４にあてがわれる。
【００２６】
「作用」
先ず図３（ａ）に示すように、アクチュエータ３１のロッド３２が後退して縮まった状態の伸縮管１２を、クレーン等を用いてゲート室Ｇに搬入する。次いで、図３（ｂ）に示すように、アクチュエータ３１を駆動させてロッド３２を前進させ、伸縮管１２を伸張させる。外管１３は、フランジ３０が止水部材３３を介して側壁４にあてがわれて躯体水路６と連通する。内管１４は、ロッド連結片２８がロッド３２に押されることにより、押圧手段１７を介して、一端が躯体水路５内に挿入される。
【００２７】
この時点までは、押圧先端部材１９，２６がそれぞれ止水部材１６，伸縮部止水部材２３をフランジ１５，伸縮部フランジ２２に変形するほどの強い力で押し付けていない状態であり、止水部材１６，伸縮部止水部材２３はまだ所定の弾性変形をしていない。したがって、止水部材１６，伸縮部止水部材２３がそれぞれ躯体水路５の内面、外管１３の内面に擦れることがなく、内管１４は外管１３に対してスムーズに伸張する。
【００２８】
次いで、図３（ｃ）に示すように、ロッド駆動部２０を駆動させて押圧ロッド１８と押圧ロッド２５とを互いに離間する方向に移動させる。これにより、押圧ロッド１８側においては、押圧先端部材１９が止水部材１６をフランジ１５に押し付ける。止水部材１６は、フランジ１５からの押し付け反力を受けて、環状内側、すなわち内管１４の外面に向けて弾性変形することにより内管１４の外面に圧接されるとともに、環状外側、すなわち躯体水路５の内面に向けて弾性変形することにより躯体水路５の内面に圧接される。これにより、躯体水路５の内面と内管１４の外面との間が止水される。
【００２９】
押圧ロッド２５側においては、押圧先端部材２６が伸縮部止水部材２３を伸縮部フランジ２２に押し付ける。伸縮部止水部材２３は、伸縮部フランジ２２からの押し付け反力を受けて、環状内側、すなわち内管１４の外面に向けて弾性変形することにより内管１４の外面に圧接されるとともに、環状外側、すなわち外管１３の内面に向けて弾性変形することにより外管１３の内面に圧接される。これにより、外管１３の内面と内管１４の外面との間が止水される。
【００３０】
また、止水部材１６が弾性変形して躯体水路５の内面に圧接されることにより、その摩擦力で内管１４は躯体水路５に対して軸方向に位置決めされる。したがって、ロッド駆動部２０の駆動により押圧ロッド１８と押圧ロッド２５とが互いに離間する方向に移動した際に、外筒１３のフランジ３０が側壁４に押し付けられることとなり、止水部材３３が圧縮されて躯体水路６と外管１３との間が止水される。
【００３１】
所定の作業が終了して伸縮管１２を躯体水路５から外すときには、ロッド駆動部２０を逆方向に駆動させて押圧ロッド１８と押圧ロッド２５とを互いに近接する方向に移動させて止水部材１６、伸縮部止水部材２３の弾性変形を緩める。そして、アクチュエータ３１のロッド３２を後退させると、ロッド連結片２８がロッド３２に引かれることにより、伸縮部止水機構部１０を介して内管１４が外管１３内に挿入され、伸縮管１２を躯体水路５から外すことができる。
【００３２】
本発明の止水装置１によれば、従来のエアバッグによる止水方式のように傷を受けてエア漏れが生ずる問題もなく、現場作業で多少荒く取り扱ったとしても所定の止水機能を確保できる。
【００３３】
また、押圧手段１７として、押圧ロッド１８と押圧先端部材１９とロッド駆動部２０とを備えて構成すれば、簡単な構造でさほど手間をかけずに止水部材１６を弾性変形させることができる。
【００３４】
図１では止水部材１６，伸縮部止水部材２３の断面形状を略Ｕ字形状としてあるが、止水部材１６，伸縮部止水部材２３の断面形状はこれに限定されず、フランジ１５，伸縮部フランジ２２からの押し付け反力を受けて弾性変形可能であればその他の形状でもよい。
【００３５】
各シリンダは、伸縮すれば良く、油圧シリンダ、エアシリンダ、電動シリンダ等で構成すれば良い。
また、伸縮装置２９としても特にアクチュエータ３１に限定されない。例えば外管１３，内管１４の各外面に座板を突設させ、人手で外管１３と内管１４とを伸張させたうえで両座板間に通しボルトを通してナットで固定させることで伸張状態を保持させるようにしてもよい。
【００３６】
「第２実施形態」
図４を参照して止水装置１の第２実施形態を説明する。第１実施形態と同じ構成要素については同一の符号を付してその詳細な説明は省略する。第１実施形態は、「（１）躯体水路５の内面と内管１４の外面との間」、「（２）外管１３の内面と内管１４の外面との間」、の２箇所について止水していたが、第２実施形態はこれに加えて、「（３）躯体水路６の内面と外管１３の外面との間」も止水する形態である。
【００３７】
「（３）躯体水路６の内面と外管１３の外面との間の止水構造」
止水装置１は、外管１３の端部に形成されるフランジ３０と、躯体水路６の内面と外管１３の外面との間に設けられる環状の弾性体からなる止水部材３４と、止水部材３４をフランジ１５に押し付ける押圧手段１７と、を備える。
【００３８】
止水部材３４は、フランジ３０の手前において外管１３に外嵌するように配されている。止水部材３４はゴム材等からなり、後記する押圧先端部材３７に取り付けられている。押圧手段１７は、外管１３の外側において外管１３の軸方向に沿って配される押圧ロッド３６と、押圧ロッド３６の一端に備えられ、止水部材３４に接する環状の押圧先端部材３７と、押圧ロッド３６を進退させるロッド駆動部３８と、を備えて構成されている。押圧ロッド３６は複数配されている。ロッド駆動部３８はロッド駆動部２０と同様にシリンダ等の公知のアクチュエータでよい。ロッド４０は、その基端が、外管１３の外面に突設した座板４１に取り付けられている。伸縮管１２を伸縮させる伸縮装置２９は、第１実施形態と同様にアクチュエータ３１から構成され、アクチュエータ３１の本体は座板４１に取り付けられている。
【００３９】
「作用」
図５（ａ）に示すように、アクチュエータ３１のロッド３２が後退して縮まった状態の伸縮管１２を、クレーン等を用いてゲート室Ｇに搬入する。次いで、図５（ｂ）に示すように、アクチュエータ３１を駆動させてロッド３２を前進させ、伸縮管１２を伸張させる。外管１３は躯体水路６内に挿入され、内管１４は躯体水路５内に挿入される。
【００４０】
この時点までは、押圧先端部材１９，２６がそれぞれ止水部材１６，伸縮部止水部材２３をフランジ１５，伸縮部フランジ２２に変形するほどの強い力で押し付けていない状態であり、止水部材１６，伸縮部止水部材２３はまだ所定の弾性変形をしていない。また、押圧先端部材３７が止水部材３４をフランジ３０に変形するほどの強い力で押し付けていない状態であり、止水部材３４はまだ所定の弾性変形をしていない。したがって、止水部材１６，３４、伸縮部止水部材２３がそれぞれ躯体水路５の内面、躯体水路６の内面、外管１３の内面に擦れることがなく、内管１４は外管１３に対してスムーズに伸張する。
【００４１】
次いで、図５（ｃ）に示すように、ロッド駆動部２０を駆動させて押圧ロッド１８と押圧ロッド２５とを互いに離間する方向に移動させる。これにより、押圧ロッド１８側においては、押圧先端部材１９が止水部材１６をフランジ１５に押し付ける。止水部材１６は、フランジ１５からの押し付け反力を受けて、環状内側、すなわち内管１４の外面に向けて弾性変形することにより内管１４の外面に圧接されるとともに、環状外側、すなわち躯体水路５の内面に向けて弾性変形することにより躯体水路５の内面に圧接される。これにより、躯体水路５の内面と内管１４の外面との間が止水される。
【００４２】
押圧ロッド２５側においては、押圧先端部材２６が伸縮部止水部材２３を伸縮部フランジ２２に押し付ける。伸縮部止水部材２３は、伸縮部フランジ２２からの押し付け反力を受けて、環状内側、すなわち内管１４の外面に向けて弾性変形することにより内管１４の外面に圧接されるとともに、環状外側、すなわち外管１３の内面に向けて弾性変形することにより外管１３の内面に圧接される。これにより、外管１３の内面と内管１４の外面との間が止水される。
【００４３】
また、ロッド駆動部３８を駆動させて押圧ロッド３６とロッド４０とを互いに離間する方向に移動させる。これにより、押圧先端部材３７が止水部材３４をフランジ３０に押し付ける。止水部材３４は、フランジ３０からの押し付け反力を受けて、環状内側、すなわち外管１３の外面に向けて弾性変形することにより外管１３の外面に圧接されるとともに、環状外側、すなわち躯体水路６の内面に向けて弾性変形することにより躯体水路６の内面に圧接される。これにより、躯体水路５の内面と内管１４の外面との間が止水される。
【００４４】
所定の作業が終了して伸縮管１２を躯体水路５，６から外すときには、ロッド駆動部２０を逆方向に駆動させて押圧ロッド１８と押圧ロッド２５とを互いに近接する方向に移動させて止水部材１６、伸縮部止水部材２３の弾性変形を緩める。また、ロッド駆動部３８を逆方向に駆動させて押圧ロッド３６とロッド４０とを互いに近接する方向に移動させて止水部材３４の弾性変形を緩める。そして、アクチュエータ３１のロッド３２を後退させると、ロッド連結片２８がロッド３２に引かれることにより、伸縮部止水機構部１０を介して内管１４が外管１３内に挿入され、伸縮管１２が縮まる。これにより、伸縮管１２を躯体水路５，６から外すことができる。
【００４５】
「第３実施形態」
図６を参照して止水装置１の第３実施形態を説明する。図６において、第１実施形態または第２実施形態と同じ構成要素については同一の符号を付してある。第３実施形態は、伸縮管１２を伸縮させる伸縮装置２９が止水用の押圧手段１７を兼ねていることを主な特徴とする。
【００４６】
本実施形態の止水装置１は、「（１）躯体水路５の内面と内管１４の外面との間」、「（２）外管１３の内面と内管１４の外面との間」、「（３）躯体水路６の内面と外管１３の外面との間」の３箇所を止水する。
【００４７】
「（１）躯体水路５の内面と内管１４の外面との間の止水構造」
止水装置１は、内管１４の端部に形成されるフランジ１５と、躯体水路５の内面と内管１４の外面との間に設けられる環状の弾性体からなる止水部材１６と、止水部材１６をフランジ１５に押し付ける押圧手段１７と、を備える。押圧手段１７は、内管１４の外側において内管１４の軸方向に沿って配される押圧ロッド１８と、押圧ロッド１８の一端に備えられ、止水部材１６に接する環状の押圧先端部材１９と、押圧ロッド１８を進退させるロッド駆動部５１と、を備えて構成されている。押圧ロッド１８には、伸縮管１２を縮めるときに、内管１４の外面に取り付けられたストッパ５７に係合する係合片５６が取り付けられている。ストッパ５７は、内管１４の外面に例えば局部的に或いは環状に設けられる。係合片５６も、押圧ロッド１８に例えば局部的に或いは内管１４の周りに沿うように環状に設けられる。ロッド駆動部５１は、伸縮するシリンダから構成されており、油圧シリンダ、エアシリンダ、電動シリンダ等で構成すれば良い。また、図６に示しように、ピニオンギヤ５３を備えたモータ５２から構成してもよく、この場合、押圧ロッド１８の他端側にはギヤが形成されており、当該ギヤがピニオンギヤ５３に噛合している。
【００４８】
「（２）外管１３の内面と内管１４の外面との間の止水構造」
伸縮部止水機構１０は、内管１４の端部に形成される伸縮部フランジ２２と、外管１３の内面と内管１４の外面との間に設けられる環状の弾性体からなる伸縮部止水部材５５と、伸縮部止水部材５５を伸縮部フランジ２２に押し付ける伸縮部押圧手段２１と、を備える。伸縮部押圧手段２１は、外管１３の内面に突設され、伸縮部止水部材５５に接する環状のストッパ片５４と、前記ロッド駆動部５１とから構成されている。
【００４９】
「（３）躯体水路６の内面と外管１３の外面との間の止水構造」
止水装置１は、外管１３の端部に形成されるフランジ３０と、躯体水路６の内面と外管１３の外面との間に設けられる環状の弾性体からなる止水部材３４と、止水部材３４をフランジ３０に押し付ける押圧手段１７と、を備える。押圧手段１７は、外管１３の外側において外管１３の軸方向に沿って配される押圧ロッド３６と、押圧ロッド３６の一端に備えられ、止水部材３４に接する環状の押圧先端部材３７と、押圧ロッド３６を進退させるロッド駆動部５１と、を備えて構成されている。
【００５０】
「作用」
図７（ａ）に示すように、押圧ロッド１８，３６が共に後退して縮まった状態の伸縮管１２を、クレーン等を用いてゲート室Ｇに搬入する。次いで、図７（ｂ）に示すように、ロッド駆動部５１を駆動させて押圧ロッド１８，３６を前進させると、押圧ロッド１８は押圧先端部材１９および止水部材１６を介してフランジ１５を押し、押圧ロッド３６は押圧先端部材３７および止水部材３４を介してフランジ３０を押すことで、伸縮管１２が伸張し、内管１４が躯体水路５に挿入されるとともに、外管１３が躯体水路６に挿入される。そして、内管１４の伸縮部フランジ２２が伸縮部止水部材５５を挟んでストッパ片５４によって移動規制されることで、伸縮管１２の伸張限界となる。
【００５１】
この伸縮管１２が伸張限界となった時点から、ロッド駆動部５１の駆動により押圧ロッド１８，３６が若干量さらに前進すると、押圧ロッド１８側においては、押圧先端部材１９が止水部材１６をフランジ１５に押し付ける。止水部材１６は、フランジ１５からの押し付け反力を受けて、環状内側、すなわち内管１４の外面に向けて弾性変形することにより内管１４の外面に圧接されるとともに、環状外側、すなわち躯体水路５の内面に向けて弾性変形することにより躯体水路５の内面に圧接される。これにより、躯体水路５の内面と内管１４の外面との間が止水される。
【００５２】
同様に押圧ロッド３６側においては、押圧先端部材３７が止水部材３４をフランジ３０に押し付ける。止水部材３４は、フランジ３０からの押し付け反力を受けて、環状内側、すなわち外管１３の外面に向けて弾性変形することにより外管１３の外面に圧接されるとともに、環状外側、すなわち躯体水路６の内面に向けて弾性変形することにより躯体水路６の内面に圧接される。これにより、躯体水路６の内面と外管１３の外面との間が止水される。
【００５３】
また、伸縮管１２が伸張限界となった時点から、押圧ロッド１８，３６が若干量さらに前進したときには、伸縮部止水部材５５も伸縮部フランジ２２からの押し付け反力を受けて弾性変形する。これにより、外管１３の内面と内管１４の外面との間が止水される。
【００５４】
所定の作業が終了して伸縮管１２を躯体水路５，６から外すときには、ロッド駆動部５１を逆方向に駆動させて押圧ロッド１８，３６を後退させると、止水部材１６，３４の弾性変形が緩まったうえで、押圧ロッド１８に取り付けられた係合片５６がストッパ５７を押すことにより内管１４が外管１３内に挿入されていき、伸縮管１２が縮まる。これにより、伸縮管１２を躯体水路５，６から外すことができる。
【００５５】
本実施形態の止水装置１によれば、伸縮管１２を伸縮させる伸縮装置２９が止水用の押圧手段１７を兼ねるため、部品点数が少なくなり、止水作業の簡単な止水装置１となる。
【００５６】
以上、本発明の好適な実施形態を説明したが、本発明は図面に記載したものに限定されることなく、その趣旨を逸脱しない範囲で様々な設計変更が可能である。
【符号の説明】
【００５７】
１      止水装置
２      躯体
３，４  側壁
５，６  躯体水路
７      ゲート
１０      伸縮部止水機構
１２      伸縮管
１３      外管
１４      内管
１５      フランジ
１６      止水部材
１７      押圧手段
１８      押圧ロッド
１９      押圧先端部材
２０      ロッド駆動部
２９      伸縮装置
Ｇ      ゲート室
【図１】
2014219014.tif 000003
【図２】
2014219014.tif 000004
【図３】
2014219014.tif 000005
【図４】
2014219014.tif 000006
【図５】
2014219014.tif 000007
【図６】
2014219014.tif 000008
【図７】
2014219014.tif 000009